(57)【特許請求の範囲】
【請求項１】
冷蔵庫の外殻の上面を覆う板状の天面化粧板を備え、
前記天面化粧板は、
略直方体の板の縁に下向きの側壁が形成され、
前記側壁の角部に、上下方向に沿って下端が開口した凹部が形成されていることを特徴とする冷蔵庫。
【請求項２】
前記天面化粧板は、合成樹脂が用いられており、
前記外殻は、板金形成により一枚の板を折り曲げて、前記外殻の左側面、上面及び右側面が形成されていることを特徴とする請求項１記載の冷蔵庫。
【発明の詳細な説明】
【技術分野】
【０００１】
この発明は、天面化粧板を具備する冷蔵庫に関するものである。
【背景技術】
【０００２】
従来の天面化粧板を具備する冷蔵庫として、「天面が本体天面板で構成された外箱と内箱２との間の空間に断熱材９が充填された断熱箱体と、この断熱箱体の開口部を覆うように取り付けられ、操作部を有する扉８と、この扉８を開閉自在に断熱箱体に取り付けるヒンジ部８ｂと、本体天面板３の上方に、本体天面板３との間に空間を形成するように設けられる天面化粧板７と、・・・を備え、・・・」というものがある（例えば、特許文献１参照。）。
【先行技術文献】
【特許文献】
【０００３】
【特許文献１】特開２００７−１２０８８１号公報（第８頁、第３図、第５図）
【発明の概要】
【発明が解決しようとする課題】
【０００４】
例えば、冷蔵庫の上面及び側面が一体の板で形成されている場合、板の加工時等において、上面上部に尖った突起状の変形が生じる場合がある。その場合に、仮に特許文献１に記載されているような本体天面板（この発明における天面化粧板。以下天面化粧板と記載する。）を、冷蔵庫の上面と密着するように設置すると、突起状の変形部分と天面化粧板裏面の角部が接触する。これにより、天面化粧板の表面に白化が生じ、外観を損ねることがある。また、接触による影響が大きければ、取り付けの際に天面化粧板が傾いたり角部が破断するなどの課題があった。
【０００５】
この発明は、上述のような課題を解決するためになされたものであり、天面化粧板を冷蔵庫の上面に設置した際に、冷蔵庫の上面の変形部分等と天面化粧板とが接触することを防止できる冷蔵庫を得ることを目的とする。
【課題を解決するための手段】
【０００６】
この発明に係る冷蔵庫は、冷蔵庫の外殻の上面を覆う板状の天面化粧板を備え、前記天面化粧板は、略直方体の板の縁に下向きの側壁が形成され、前記側壁の角部に、上下方向に沿って下端が開口した凹部が形成されているものである。
【発明の効果】
【０００７】
この発明における冷蔵庫の天面化粧板は、裏面の角部の側壁に、上下方向に沿って下端が開口した凹部が形成されているので、外殻の突起と天面化粧板とが接触しない。これにより、表面の白化、天面化粧板の傾き及び角部の破断等が生じないという効果を有する。
【図面の簡単な説明】
【０００８】
【図１】この発明の実施の形態１における冷蔵庫の外殻の展開斜視図である。
【図２】図１のＡ−Ａ断面図である。
【図３】この発明の実施の形態１における冷蔵庫の外殻を組み立てた状態を示す斜視図である。
【図４】この発明の実施の形態１における天面化粧板の裏面を示す斜視図である。
【図５】図４のＢ部拡大図である。
【図６】この発明の実施の形態１における冷蔵庫の外殻に天面化粧板を覆い被せた状態を示す斜視図である。
【図７】この発明の実施の形態１における冷蔵庫の外殻に天面化粧板を覆い被せた状態を示す正面図である。
【図８】図７のＣ−Ｃ断面図である。
【図９】図８のＤ部拡大図である。
【発明を実施するための形態】
【０００９】
以下、この発明における冷蔵庫の一例について、図面を用いて詳細に説明する。
【００１０】
実施の形態１．
図１は、この発明の実施の形態１における冷蔵庫の外殻の展開斜視図である。また、図２は、図１のＡ−Ａ断面図である。
図１に示す冷蔵庫の外殻１は、略長方体の一枚の板であり、冷蔵庫の両側面及び上面の外殻を展開したものである。外殻１の長手側の辺の一方には、冷蔵庫を組み立てた場合に前面に位置する、外殻左辺前面フランジ２、外殻上辺前面フランジ３及び外殻右辺前面フランジ４が形成されている。また、外殻左辺前面フランジ２と外殻上辺前面フランジ３の間、及び外殻上辺前面フランジ３と外殻右辺前面フランジ４の間には、切り欠き１０が形成されている。冷蔵庫の組み立ての際において、外殻１は、この切り欠き１０の部分で折り曲げられて冷蔵庫の外殻の両側面及び上面を形成する。
【００１１】
また、図２に示すように、外殻左辺前面フランジ２は、外殻１を裏面側に折り曲げてＵ字型に形成されたものであり、そのＵ字型の凹みが、外殻１の面と略垂直方向に向くように形成されている。また、そのＵ字型部分において、組み立てた際に冷蔵庫前面に位置する面が２重となるように形成されている。そして、外殻上辺前面フランジ３及び外殻右辺前面フランジ４も外殻左辺前面フランジ２と同様のＵ字型に形成されている。
【００１２】
また、外殻左辺背面フランジ５は、外殻１を裏面側に折り曲げてＵ字型に形成されたものであり、そのＵ字型の凹みが、外殻１の面と略水平方向であって内側を向くように形成されている。また、そのＵ字部分において、組み立てた際に冷蔵庫の内側となる面が２重となるように形成されている。そして、外殻上辺背面フランジ６及び外殻右辺背面フランジ７も外殻左辺背面フランジ５と同様のＵ字型に形成されている。
【００１３】
図３は、この発明の実施の形態１における冷蔵庫の外殻１を組み立てた状態を示す斜視図である。図３に示すように、外殻１は略コの字状に折り曲げられ、外殻左側面１ａ、外殻上面１ｂ及び外殻右側面１ｃが冷蔵庫内箱９を囲むように設置される。そして、外殻左辺前面フランジ２、外殻上辺前面フランジ３及び外殻右辺前面フランジ４に、冷蔵庫内箱９の図示しない凸部が嵌め込まれることにより、外殻１と冷蔵庫内箱９とが固定される。また、外殻左辺背面フランジ５、外殻上辺背面フランジ６及び外殻右辺背面フランジ７には図示しない背面板が嵌め込まれる。
【００１４】
また、図２に示したように、外殻左辺前面フランジ２、外殻上辺前面フランジ３、外殻右辺前面フランジ４、外殻左辺背面フランジ５、外殻上辺背面フランジ６及び外殻右辺背面フランジ７は、Ｕ字型に形成されている。そのため、外殻１を図３に示すように折り曲げた場合、上面の角部１ｄ１〜１ｄ４には、加工時の寸法のばらつき等が原因で、尖った突起状の変形が生じる場合がある。
なお、外殻１の組み立て後において、コの字状に形成された外殻１の開放部が上に来るように設置した場合、この変形部分が底面に位置するため、問題点とならない。
【００１５】
図４はこの発明の実施の形態１における天面化粧板８の裏面を示す斜視図であり、図５は図４のＢ部拡大図である。なお、図４における天面化粧板８は、冷蔵庫に設置した状態と上下反転させたものであるが、以下の説明において冷蔵庫に設置した状態の方向に従い説明する。
図４及び図５に示すように、天面化粧板８は、略直方体の板の縁に側壁８ｆが形成されたものであり、冷蔵庫に設置される際には、その側壁８ｆの先端が下を向くように設置される。また、天面化粧板８の裏面８ｅの４箇所の角部には凹部８ａ〜８ｄが設けられている。この凹部８ａ〜８ｄが、外殻上面１ｂの角部１ｄ１〜１ｄ４にそれぞれ覆い被さるように設置される。また、凹部８ａ〜８ｄの底部（設置状態で上端となる位置）は、外殻上面１ｂに設置した際に、角部１ｄ１〜１ｄ４の突起に接触しない程度の深さである。このため、角部１ｄ１〜１ｄ４に突起状の変形が生じていたとしても、天面化粧板８と角部１ｄ１〜１ｄ４が接触しないため、天面化粧板８の表面の白化、角部の破損等の問題が発生しづらくなる。
【００１６】
なお、本実施の形態１の天面化粧板８は合成樹脂が用いられることが多く、外殻１は合成樹脂より硬い金属を板金加工することにより形成されることが多い。その場合は特に、仮に天面化粧板８と角部１ｄ１〜１ｄ４が接触すると、天面化粧板８の表面の白化という問題が起き易いが、上記のような天面化粧板８を用いることでその問題が発生しづらくなる。
【００１７】
図６は、この発明の実施の形態１における冷蔵庫の外殻に天面化粧板８を覆い被せた状態を示す斜視図であり、図７は、この発明の実施の形態１における冷蔵庫の外殻１に天面化粧板８を覆い被せた状態を示す正面図である。
【００１８】
図６及び図７に示すように外殻１の上面上に天面化粧板８を覆い被せたことにより、上面の角部１ｄ１〜１ｄ４に生じた突起等を隠すことができ、見栄えのよい冷蔵庫を得ることができる。また、図５に示したように天面化粧板８は、裏面の角には凹部８ａ〜８ｄが形成されているため、外殻１の上面の角部１ｄ１〜１ｄ４と接触しないので、傾かず水平に取り付けられる。
【００１９】
なお、天面化粧板８の側壁８ｆが全周において外殻１の上面と隙間ができるように形成しても、天面化粧板８が外殻１の上面の変形部分と接触しないように設置することができる。しかしその場合、その隙間からゴミ等が入り込む可能性がある。そのため、本実施の形態における冷蔵庫の天面化粧板８のように、角部にのみ凹部８ａ〜８ｄを設けた形状が望ましい。
【００２０】
図８は、図７のＣ−Ｃ断面図であり、図９は、図８のＤ部拡大図である。
図９に示すように角部１ｄ１は、外殻１の折り曲げの際に変形している。そして、その角部１ｄ１の周りに、天面化粧板８の凹部８ａが覆い被さるように設置されている。また、天面化粧板８の凹部８ａは、角部１ｄ１に接触しないように設置されている。
【００２１】
以上のように、本実施の形態における冷蔵庫は、天面化粧板８の角部に凹部８ａ〜８ｄを形成し、凹部８ａ〜８ｄを形成したことにより、冷蔵庫の上面の角部１ｄ１〜１ｄ４に突起等があったとしても、接触しないような構成とした。これにより、角部１ｄ１〜１ｄ４と天面化粧板８とは接触しないので、天面化粧板８の表面の白化、角部の破損、取り付け位置の傾き等を抑止することができる。
【符号の説明】
【００２２】
１  外殻、１ａ  外殻左側面、１ｂ  外殻上面、１ｃ  外殻右側面、１ｄ１〜１ｄ４  角部  、２  外殻左辺前面フランジ、３  外殻上辺前面フランジ、４  外殻右辺前面フランジ、５  外殻左辺背面フランジ、６  外殻上辺背面フランジ、７  外殻右辺背面フランジ、８  天面化粧板、８ａ〜８ｄ  凹部、８ｅ  裏面、８ｆ  側壁、９  冷蔵庫内箱。
【図１】
0005473881.tif 000002
【図２】
0005473881.tif 000003
【図３】
0005473881.tif 000004
【図４】
0005473881.tif 000005
【図５】
0005473881.tif 000006
【図６】
0005473881.tif 000007
【図９】
0005473881.tif 000008
【図７】
0005473881.tif 000009
【図８】
0005473881.tif 000010